(57)【要約】【課題】足腰が弱った者等が手の平や下腕部を乗せて滑らせつつ歩行する場合に、手首や肘等が当たる痛みを解消しつつ外側に滑り落ちるのを防止すると共に、手すりが必要になるまでは水平棚として使用できる。【解決手段】手すり部１００２の一方の面に、２つの突起部１２１４からなる指ガイド部と、ある程度の幅を有する平坦面１２１１とを設ける。指先等を突起部１２１４及び平坦面１２１１との段差１２１３に沿わせることによって、この手すり部に乗せた手の平や下腕部の位置が確認でき、またこの突起部と段差との摩擦抵抗によって下腕部等が外側に滑り落ちることが防止できる。手すり部１００２の他方を水平面１０２２に形成し、この水平面が上面になるように取り付ければ突起部の無い水平棚として使用できる。【選択図】    図４
2004218327.tif 000002
【特許請求の範囲】
【請求項１】
壁面への取付け部とこの取付け部に突設した手すり部とを有し、
上記手すり部の上下面の一方は、床面と少なくとも長手方向に平行な手すり面であって、この手すり面には長手方向に連続する指ガイド部が設けてあり、
上記手すり部の上下面の他方は、水平面になっており、
上記手すり面と水平面とのいずれかが上面になるように上記壁面へ取り付けることができる
ことを特徴とするフラット手すり。
【請求項２】
請求項１において、上記指ガイド部は、上記手すり面の外側端より内側にむかって所定の幅を有する平坦面と、この平坦面より所定の寸法だけ低くかつ所定の幅を有する内側面との段差であることを特徴とするフラット手すり。
【請求項３】
請求項１において、上記指ガイド部は、長手方向に連続しかつ上記手すり面の外側端と平行な突起部を備えることを特徴とするフラット手すり。
【請求項４】
請求項１〜３のいずれかの１において、上記手すり部の水平面には、長手方向に連続する連結用溝が形成され、
上記連結用溝には、連結補強部材が嵌合可能であって、
上記連結補強部材は、上記手すり部を長手方向に連結する場合に、その連結部の段差を解消するものである
ことを特徴とするフラット手すり。
【請求項５】
請求項１〜４のいずれかの１において、上記手すり部の外側端との間に所定の厚さの表面層を残して、上記取付け部の壁面への取付け面からこの手すり部の外側端に向かって所定の角度で開口するＶ溝を切り欠き、
上記Ｖ溝の頂部に位置する表面層を屈曲してこのＶ溝の切り欠き面を接合したコーナー部を有する
ことを特徴とするフラット手すり。
【請求項６】
請求項１〜５のいずれかの１に記載した取付け部を接着部材で上記壁面へ仮止めし、
その後に上記取付ネジによって上記壁面に固定する
ことを特徴とするフラット手すりの取付け方法。
【発明の詳細な説明】
【０００１】
【発明の属する技術分野】
本発明は、歩行困難な者等が、手又は肘先部分（以下「下腕部」という。）を滑らせつつ身体を支持できるフラット手すりと、その取付け方法に関する。
【０００２】
【従来の技術】
従来より、高齢者、病人等の歩行が困難な者に対して、部屋や廊下等に手すりを設けて、歩行を補助することが行われている。しかるに高齢者、病人等は、手の握力が弱いために、手すりを握って身体を支えることが困難な場合も多い。このため、手の平や下腕部を乗せて体重を寄り掛け、手の平や下腕部を滑らせながら歩行できる手すりが提案されている（特許文献１）。
【０００３】
この従来技術を図１０に示す。すなわち手すり部材１０は、本体部１０Ａと、握り部１０Ｂとを有しており、この本体部は、壁面Ｗへの取付け面１１と、歩行者の下腕部を支持可能な平坦面１２を備えている。また握り部１０Ｂは、本体部１０Ａから歩行者側に延出し、その上部１９が平坦面１２より上方に突出するように形成してある。
【０００４】
【特許文献１】
特開平８‐１１４０１６号公報（第１−５頁、第４図）
【０００５】
【発明が解決しようとする課題】
しかし上記の従来技術では、次の改良すべき問題があった。第１に、平坦面１２の先端部には、握り部１０Ｂを積極的に設けると共に、この握り部は、この平坦面に乗せた下腕部がすべり落ちないように、その上部１９がこの平坦面より上方に突出するように形成してある。しかるに平坦面１２から突出した上部１９が設けてあると、この突出した上部が邪魔になって、花瓶や置物等を水平に置くことが困難となる。一方、歩行補助が必要で無くなった場合や、将来的に必要になるまでは、この手すりに置物等を置くことができれば、利用価値が大幅に向上する。
【０００６】
第２に、握り部１０Ｂを積極的に設ける以上、できるだけ手の平で握り易い形状にするのが自然であり、そのためには平坦面１２から突出した上部１９の頂点は、自ずから滑らかな円弧断面形状に形成することになる。しかるに滑らかな円弧断面形状に形成すると、摩擦力が低下して、平坦面１２に乗せた手の平や下腕部が外側に滑り落ち易くなる。したがって手の平で握り易い形状にし、かつ手の平や下腕部が外側に滑り落ち難くなるようにするためには、上記特許文献１の添付図６に記載してあるように、握り部１０Ｂの上部１９は、平坦面１２からある程度高く突出した位置になる。このため平坦面１２に下腕部を乗せ、体重を掛けて滑らせる場合に、手首や肘がこの円弧断面形状の頂点と、いわば線接触の状態で当たることになって痛くなる場合がある。特に肉付の落ちた高齢者等や体力が低下している者にとっては、手首や腕の骨が、円弧断面形状の頂点に直接当たることになるため痛みが増す。
【０００７】
ところで歩行困難な場合には、体力が低下して握力も弱っている場合が多く、握り部１０Ｂを握って身体を支えつつ歩行することは困難である。一方握り部１０Ｂを握って身体を支える程度の握力がある場合には、平坦面１２の端部を掴めば、十分身体を支えることができる。したがって握り部１０Ｂを、あえて平坦面１２に設ける必要はないと考えられる。
【０００８】
第３に、手すりを長手方向に連結して使用する場合には、連結の際やその後の経年変化等によって、この連結部分に段差が生じ易い。第４に、廊下の曲がり角等では、手すりを曲がり角の角度にあわせて切断し、この切断面を相互に連結する必要があるが、連結の際やその後の経年変化等によって、この連結部分に段差が生じ易い。第５に、長尺な手すりを、所定の取り付け位置に保持しつつ、直接ビス等で壁面に固定するのは手間が掛かる。
【０００９】
そこで本発明は、上述した従来技術の実用上の問題点を改良したフラット手すりと、その取付方法を提供するものである。
【００１０】
【課題を解決するための手段】
上記課題を解決すべく、本発明によるフラット手すりの第１の特徴は、壁面への取付け部と、この取付け部に突設した手すり部とを有し、この手すり部の上下面の一方は、床面と少なくとも長手方向に平行な手すり面であって、この手すり面には長手方向に連続する指ガイド部が設けてあり、一方この手すり部の上下面の他方は、水平面になっていることにある。そして上記手すり面と水平面とのいずれかが上面になるように上記壁面へ取り付けることができる。
【００１１】
また本発明によるフラット手すりの第２の特徴は、上記特徴１に記載した指ガイド部は、上記手すり面の外側端より内側に向かって所定の幅を有する平坦面と、この平坦面より所定の寸法だけ低くかつ所定の幅を有する内側面との段差であることにある。さらに本発明によるフラット手すりの第３の特徴は、上記特徴１に記載した指ガイド部は、長手方向に連続しかつ上記手すり面の外側端と平行な突起部を備えることにある。
【００１２】
このように発明を構成することによって、次の作用効果を得ることができる。第１に、手の平や下腕部を乗せる手すり面と反対側の面は、水平面になっているため、この面を上面にして取り付ければ、突起部がない全面が平らな水平棚としても使用できる。したがって、歩行補助が必要でなくなった場合や、将来において歩行補助が必要になるまでは、置物や、花瓶等を乗せる棚として使用できるので、利用価値が大幅に向上する。
【００１３】
第２に、手すり部に例えば段差または突起部からなる指ガイドを設けているので、この手すり部に手の平や下腕部を乗せて滑らせつつ歩行する場合に、指先等をこの指ガイドに沿わせることによって、この手すり部に乗せた手の平や下腕部の位置が確認できる。このため手の平や下腕部がこの手すり部の外側にずれることが回避され、この手すり部から滑り落ちるのを防止できる。第３に、指ガイドとして、例えば段差または突起部を形成することによって、この段差等が手の平や下腕部が外側に滑る動きに対して摩擦抵抗が発生し、滑り落ちるのを防止できる効果が得られる。なお手の平や下腕部が外側に滑る動きに対して摩擦抵抗を発生させるためには、段差または突起部は、指で感触が得られる程度の高さに形成しておけば十分である。
【００１４】
第４に、手の平や下腕部を乗せる手すり面には、上方に突出した握り部を積極的には設けていないので、体重を掛けて滑らせる場合に、手首や肘がこの突出した部分に当たって痛くなることを回避できる。すなわちこの手すり面には、長手方向に連続する段差または突起部だけ形成されている。しかるに、この段差は上述したようにわずかな高さで足り、かつこの段差の外側は所定の幅を有する平坦面になっているため、この平坦面に手首や肘が当たっても、荷重が平坦面に分散されるので、痛みが生じるのを回避できる。また突起部も、上述したようににわずかな高さで足りるため、手首や肘が当たる感触は低く、痛みが生じることはない。
【００１５】
本発明によるフラット手すりの第４の特徴は、上記特徴１〜３のいずれかに記載した手すり部の水平面には、長手方向に連続する連結用溝が形成されていることにある。そしてこの連結用溝には、連結補強部材が嵌合可能であって、この連結補強部材は、上記手すり部を連結する場合に、その連結部の段差を解消するものである。
【００１６】
すなわち、フラット手すりを長手方向に連結する連結部に段差があると、歩行時に手の平や下腕部が引っ掛かって、容易に滑らせることができなくなる。しかるに段差が生じないように、長尺のフラット手すりの位置合わせをしつつ壁面に固定するのは、多大な労力が必要となる。また例え段差が生じないように取付けても、長年の使用による経年変化等によって、連結部に段差が生じてしまうことも多い。そこで連結部に連結補強部材を取付けて、連結部を強制的に固定することによって、連結時の位置合わせを容易にすると共に、経年変化等による段差が生じることを防止することができる。また連結補強部材を、長手方向に連続する連結用溝に嵌合させることによって、棚として使用する場合の水平な面を確保することができると共に、壁面と直交する方向に段差が生じるのを防止することができる。
【００１７】
本発明によるフラット手すりの第５の特徴は、上記特徴１〜４のいずれかの１に記載した手すり部の外側端との間に所定の厚さの表面層を残して、上記取付け部の壁面への取付け面から、この手すり部の外側端に向かって、所定の角度で開口するＶ溝を切り欠き、このＶ溝の頂部に位置する表面層を屈曲して、このＶ溝の切り欠き面を接合したコーナー部を有することにある。
【００１８】
すなわち、廊下の曲がり角等のコーナー部分では、そのコーナーの角度に合わせてフラット手すりを切断して、互いに切断面を合わせるようにして連結する必要がある。しかるに連結の際に、この切断面に段差が全く生じないように、フラット手すりを壁面に固定するのは困難であるため、この段差を削る等の仕上げ作業が必要になる。また経年変化等によって、切断面に段差が生じる場合も多く、この場合には段差を削って再塗装を行う等、大掛かりな補修作業が必要になる。そこでコーナー部の頂部に、連続部分からなる折り曲げ可能な厚さの表面層を残してＶ溝を切り欠き、この連続部分を折り曲げて、Ｖ溝の切り欠き面を合わせるように接合すれば、取付けの際にも、経年変化によっても、垂直方向及び水平方向のいずれにも段差が生じない。またＶ溝の切り欠き角度を変更するだけで、異なったコーナー角度に合わせて、手すりを容易に連結することができる。
【００１９】
また上述した従来例の手すりでは、図１０に示したように、握り部１０Ｂを設けており、この握り部を握り易い形状にするために、外端を円弧断面形状に形成している。しかるに手すりの外端を円弧断面形状にすると、Ｖ溝を切り欠いたときに、このＶ溝の頂部と外側表面との間には、微小な円弧長さの表面層だけが残る。したがって、このような微小面積の連続部分を屈曲してコーナー部を形成すると、この表面層が切れてしまったり、しわが生じるという問題があった。
【００２０】
一方本発明では、握り部を積極的には設けていないので、手すりの外端を円弧断面形状にする必要が無く、後述するように手すりの外端を例えば矩形断面形状にするだけで足りる。したがって、Ｖ溝を切り欠いたときに、このＶ溝の頂部と外側表面との間には、外端面の高さ分の表面層を残すことができるため、この表面層が切れてしまったり、しわが生じたりすることなくコーナー部を形成することができる。したがって、直線部分、コーナー部分および出隅部分等を、１本の直材を使用して、連続形成することができる。
【００２１】
本発明によるフラット手すりの取付け方法の第６の特徴は、上記特徴１〜５のいずれかの１に記載した取付け部を、接着部材で上記壁面へ仮止めし、その後に上記取付ネジによって上記壁面に固定することにある。
【００２２】
すなわち長尺なフラット手すりを、所定の取り付け位置に保持しつつ、直接取付けネジによって壁面に取付けるのは容易なことではなく、また取り付け後の位置修正も容易ではない。一方例えば両面接着部材を用いれば、比較的容易にフラット手すりを所定の位置に仮止めすることができる。また、仮止めであるため位置を修正することも容易となる。したがって、まずフラット手すりを接着部材で仮止めし、その後に取付けネジで最終的に固定するようにすれば、容易に所定の取り付け位置に固定することができる。
【００２３】
【発明の実施の形態】
図１〜図３を参照しつつ、本発明によるフラット手すりの構成を説明する。すなわちフラット手すりは、木紛を混入した硬質発泡樹脂を一体的に押出成型したものであって、木目感と抗菌性とを有する。そしてこのフラット手すりは、高さが約７５ｍｍ、幅が約１０ｍｍの縦長矩形断面を有する取付け部１と、この取付け部の外側面１１の中央部に突設した、突出長さが約７０ｍｍ、厚みが約２０ｍｍの手すり部２とを有している。手すり部２の上下面の一方は、床面と長手方向に平行な手すり面２１になっている。そして手すり面２１には、その外側端より内側に向かって幅が約２０ｍｍの平坦面２１１と、この平坦面より約３ｍｍの段差２１３だけ低く、かつ幅が約４０ｍｍの平坦面な内側面２１２とが形成してある。また手すり部２の上下面の他方は、水平面２２になっている。
【００２４】
また手すり部２の水平面２２には、長手方向に連続する連結用溝２２１が形成され、後述するようにこの連結用溝には、この手すり部の連結部の段差を解消するための連結補強部材２３が嵌合する。また取付け部１の外側面１１には、その中央部に突設した手すり部２を挟んで両側に、長手方向に連続する取り付けネジ用溝１２，１２が設けてあり、後述するようにこの取り付けネジ用溝には、取り付けネジ１４の頭部をカバーする化粧板１３が嵌合する。
【００２５】
なお図２は、手すり面２１を上面にして壁に取り付け、フラット手すりとして使用する場合を示している。一方図３は、水平面２２を上面にして壁に取り付け、水平棚として使用する場合を示している。また図３に示すように、水平面２２を上面にする場合には、この水平面の全面を平らにするため、連結用溝２２１には、連結補強部材２３として長尺材を使用し、長手方向に段差が生じないように連続して嵌合させる。一方図２に示すように、水平面２２を下面にする場合には、この水平面の全面を平らにする必要はなく、連結用溝２２１には、手すり部２の連結部分にのみ、短い連結補強部材２３を嵌合させてもよい。
【００２６】
図４〜図６を参照しつつ、本発明の他の実施の形態を説明する。なお図１〜図３に示す構成要素に対応する番号は、それぞれ１０００を加えた番号にしてある。すなわちフラット手すりは、上述したものと同様に、木紛を混入した硬質発泡樹脂を一体的に押出成型したものであって、高さが約７５ｍｍ、幅が約１０ｍｍの縦長矩形断面を有する取付け部１００１と、この取付け部の外側面１０１１の中央部に突設した、突出長さが約７０ｍｍ、厚さが約２０ｍｍの手すり部１００２とを有している。手すり部１００２の上下面の一方は、床面と少なくとも長手方向に水平な手すり面１０２１であって、この手すり面には指ガイド部として、長手方向に連続し、かつこの手すり面の外側端と平行にそれぞれ配列した、高さが約３ｍｍの２個の突起部１２１４が設けてある。なお突起部１２１４の断面は、半円形状に形成してある。また手すり面１０２１には、その外側端から内側に向かって、約３ｍｍの段差１２１３を有し、幅が約２０ｍｍの平坦面１２１１が形成してある。なお段差１２１３は、指先のガイドと、手の平や下腕部が外側に滑り落ちるのを防止する摩擦抵抗とを生み出して、突起部１２１４と同じ機能を補強するものであるが、この段差が無いように平坦面１２１１を形成してもよい。
【００２７】
また手すり部１００２の水平面１０２２には、長手方向に連続する連結用溝１２２１が形成され、後述するようにこの連結用溝には、この手すり部の連結部の段差を解消するための連結補強部材１０２３が嵌合する。また取付け部１００１の外側面１０１１には、その中央部に突設した手すり部１００２を挟んで両側に、長手方向に連続する取り付けネジ用溝１０１２，１０１２が設けてあり、後述するようにこの取り付けネジ用溝には、取り付けネジの頭部をカバーする化粧板１０１３が嵌合する。
【００２８】
なお図５は、手すり面１０２１を上面にして壁に取り付け、フラット手すりとして使用する場合を示ししている。一方図６は、水平面１０２２を上面にして壁に取り付け、水平棚として使用する場合を示している。
【００２９】
次に図７を参照しつつ、上述したフラット手すりの取り付け方法を説明する。まず壁３の下端と床４の左端とのコーナーに沿って、幅木７を取り付ける。幅木７の上端部は、長手方向に切り欠き部７ａが形成されており、この切り欠き部と壁３との間で形成される縦溝に、腰壁６をその下端部を差し込んでこの壁にネジ止めする。なお腰壁６の左右側端は、それぞれ凹凸面に形成してあって、この凹凸を互いに差し込んで連結する。そして腰壁６の上端部に、取り付け板５を両面接着テープ（図示せず。）で壁３に仮止めする。なお取り付け板５の下端部は、長手方向に切り欠き部５ａが形成されており、この切り欠き部が腰壁６の上端部を覆うようにして、この取り付け板を壁３に接着する。なお取り付け板５は、腰壁６の上端面に当接して取り付けることで高さと水平とを確保するが、必要に応じて壁３から剥がして取り付け位置を修正する。
【００３０】
取り付け板５の外側面には、長手方向に水平溝５ｂが形成してあり、この水平溝に両面接着テープ（図示せず。）を貼り付けた後に、フラット手すりの取り付け部１を嵌合接着する。そして後述するように、フラット手すりを長手方向にそれぞれ連結し、連結部の段差や、水平の狂いが生じていないことを確認した後に、取り付けネジ用溝１２，１２に取り付けネジ１４をねじ込んで、壁３に固定する。最後に取り付けネジ用溝１２，１２に、化粧板１３を嵌合接着させ、取り付けネジ１４の頭部をカバーする。
【００３１】
フラット手すりを長手方向にそれぞれ連結する場合には、強制的に垂直及び水平方向に段差が生じないように、連結補強部材２３を水平面２２に設けた連結溝２２１に嵌合接着した後に、取り付けネジ１４によって壁３に固定する。なお連結部分は、接着剤で固定する。またフラット手すりの上下を逆にする場合は、取り付けネジ１４を取り外し、取り付け板５の水平溝５ｂに両面テープで接着したフラット手すりを引き剥がして、上下を逆にしてこの水平溝に再度嵌合接着し、この取り付けネジで壁３に固定し直すだけでよい。
【００３２】
図８〜図９を参照しつつ、フラット手すりのコーナー部の形成手段を説明する。図８はコーナー部の角度が９０度の場合を示している。すなわちまず図８（Ａ）のように、取り付け部２から手すり部１に向かって、９０度のＶ溝８を切り欠く。Ｖ溝８の頂部８ｂと、手すり部１の外側端面との間には、３〜５ｍｍ厚さの表面層を残している。次に図８（Ｂ）に示すように、Ｖ溝８の頂部８ｂに位置する表面層を直角に曲げて、このＶ溝の切り欠き面８ａ，８ａを合わせて、接着剤等で接合する。したがってコーナー部の外側表面は連続一体に屈曲されるため、この部分に段差は生じ得ない。またこの外側表面が一体的に連がって分離していないために、コーナー部の上下面にも段差が生じ難くなる。
【００３３】
図９は、コーナー部の角度が１２０度の場合を示している。すなわちまず図９（Ａ）のように、取り付け部１００２から手すり部１００１に向かって、６０度のＶ溝１００８を切り欠き、次に図９（Ｂ）に示すように、このＶ溝の頂部１００８ｂに位置する表面層を６０度だけ曲げ、このＶ溝の切り欠き面１００８ａ，１００８ａを合わせて、接着剤等で接合する。したがって、Ｖ溝１００８の切り欠き角度を変更することによって、任意のコーナー部の角度に対応するフラット手すりを形成することができる。
【００３４】
なおフラット手すりは、木紛を混入した硬質発泡樹脂に限らず、他の合成樹脂や、アルミ等の金属材料を使用することもできる。またフラット手すりの表面を弾力性に富んだプラスチック材等で覆うことによって、転倒等の不測の場合の打撲等を軽減することができる。さらに指ガイド部を構成する突起部１２１４は、２列に限らず、１列でも３列以上であってもよい。
【００３５】
【発明の効果】
第１に、手の平や下腕部を乗せる面と反対側を、水平面に形成することによって、この水平面を上側にして取り付ければ、歩行補助が必要になるまで等に、突起部が無い全面が平らな水平棚としても使用できるので、利用価値が大幅に向上する。第２に、例えば手すり面に長手方向に連続する段差や、手すり面の外側端と平行な突起部からなる指ガイド部を設けることによって、指先をガイドしつつ手の平や下腕部を容易に滑らせることができると共に、この段差や突起部によって生じる摩擦抵抗により、手の平や下腕部が滑り落ちてしまうことを回避できる。
【００３６】
第３に、手の平や下腕部を乗せる手すり面には、上方に突出した握り部を積極的には設けていないので、体重を掛けて滑らせる場合に、手首や肘がこの突出した部分に当たって痛くなることを回避できる。第４に、連結補強部材を連結用溝に嵌合させて、連結部を強制的に固定することによって、連結時の位置合わせを容易にすると共に、経年変化等による段差が生じることを防止することができる。また連結補強部材を、連結用溝に嵌合させることによって、棚として使用する場合の水平な面を確保することができる。
【００３７】
第５に、コーナー部分を、その頂部に連続部分からなる折り曲げ可能な厚さの表面層を残してＶ溝を切り欠き、この連続部分を折り曲げてＶ溝の切り欠き面を合わせるように接合して形成することによって、取付けの際にも、経年変化によっても、垂直方向及び水平方向のいずれにも段差が生じない。またＶ溝の切り欠き角度を変更するだけで、異なったコーナー角度に合わせて、手すりを容易に連結することができる。したがって、直線部分、コーナー部分および出隅部分を、１本の直材で、連続形成することができる。第６に、まずフラット手すりを接着部材で仮止めし、その後に取付けネジで最終的に固定するようにすることによって、長尺なフラット手すりを、容易に所定の取り付け位置に固定することができる。また仮止めであるため、取り付け高さや平行度を容易に修正することもできる。
【図面の簡単な説明】
【図１】フラット手すりの斜視図である。
【図２】手すりとして使用する場合のフラット手すりの断面図である。
【図３】水平棚として使用する場合のフラット手すりの断面図である。
【図４】他のフラット手すりの斜視図である。
【図５】手すりとして使用する場合の他のフラット手すりの断面図である。
【図６】水平棚として使用する場合の他のフラット手すりの断面図である。
【図７】フラット手すりの取り付け構造を示す断面図である。
【図８】フラット手すりの９０度コーナー部の説明図である。
【図９】フラット手すりの１２０度コーナー部の説明図である。
【図１０】従来例による手すりの断面図である。
【符号の説明】
１，１００１        取り付け部
１２，１０１２      取り付けネジ用溝
１３，１０１３      化粧板
１４                取り付けネジ
２，１００２        手すり部
２１，１０２１      手すり面
２１１，１２１１    平坦面
２１２，１２１２    内側面
２１３，１２１３    段差
１２１４    突起部
２２，１０２２      水平面
２２１，１２２１    連結用溝
２３，１０２３      連結補強部材
３                  壁面
４                  床面
５                  取り付け板
６                  腰壁
７                  幅木
【図１】
2004218327.tif 000003
【図２】
2004218327.tif 000004
【図３】
2004218327.tif 000005
【図４】
2004218327.tif 000006
【図５】
2004218327.tif 000007
【図６】
2004218327.tif 000008
【図７】
2004218327.tif 000009
【図８】
2004218327.tif 000010
【図９】
2004218327.tif 000011
【図１０】
2004218327.tif 000012